(57)【要約】【課題】  簡易な構造で効率的かつ省エネな冷風機を提供する。【解決手段】  対向する側面に取風孔２ａ及び排風孔２ｂが形成された冷風機本体２と、当該送風機本体内の底部に固設された水タンク３と、孔径が水分子の大きさに形成され、その下端部側が前記水タンク３内の水面に浸漬された多孔質吸水基板４と、前記取風孔２ａ及び当該多孔質吸水基板４の間に配置され、当該多孔質吸水基板４の上端部側に対して送風する送風手段５とを備えてなり、前記水分子を瞬時に吸着した多孔質吸水基板４の上端部側に送風することで気化熱を奪い、前記排風孔２ｂから冷風を放出させる。【選択図】図１
2017009136.tif 000002
【特許請求の範囲】
【請求項１】
冷風機本体と、当該送風機本体内に配された水タンクと、孔径が水分子の大きさに形成され、その下端部側が前記水タンク内の水面に浸漬された多孔質吸水基板と、当該多孔質吸水基板の上端部側の近傍に配置され、当該多孔質吸水基板に対して送風する送風手段とを備えてなることを特徴とする冷風機。
【請求項２】
前記多孔質吸水基板は、多孔質構造の各孔径が水分子の大きさに形成された合成ゼオライトからなることを特徴とする請求項１に記載の冷風機。
【請求項３】
前記多孔質吸水基板は、多孔質構造の各孔径が水分子の大きさに形成されたナノカーボンからなることを特徴とする請求項１に記載の冷風機。
【請求項４】
前記多孔質吸水基板は、吸水性に優れた布地からなることを特徴とする請求項１に記載の冷風機。
【発明の詳細な説明】
【技術分野】
【０００１】
本発明は、簡易な構造で効率的かつ省エネな冷風機に関する。
【背景技術】
【０００２】
従来、冷風扇機本体内の底部に設けられた水タンクと、当該水タンク内に下端が入り込み、エンドレスベルト状で複数の軸に巻き付けられた水フィルタと、当該水フィルタを通るようにして送風する送風手段から構成され、前記下端が水タンク内の水に浸漬されているエンドレスベルト状の水フィルタを回転走行することにより、当該水フィルタに浸み込んだ水分が前記送風で蒸発することにより、気化熱によって冷風を吹き出す冷風扇機が提供されている（特許文献１）。
【０００３】
また、超音波噴霧装置を水タンク内に備え、当該超音波により本体ケース内に噴霧を発生させ、水フィルタに付着した水滴を蒸発させることにより気化熱を奪い、ファンにより冷却された空気が冷風となって本体ケースから外部へと吹き出す冷風扇が提供されている（特許文献２）。
【先行技術文献】
【特許文献】
【０００４】
【特許文献１】実開平０２−１０３６１２号公報
【特許文献２】実開平０６−０３２９２１号公報
【発明の概要】
【発明が解決しようとする課題】
【０００５】
しかしながら、特許文献１に記載の技術では、エンドレスベルト状の水フィルタに水を浸み込ませるために、当該水フィルタを回転走行させる必要があるため、冷風扇機本体内の構造も複雑で装置自体も大型化せざるを得ず、また、消費電力も増大するという問題があった。
【０００６】
一方、特許文献２に記載の技術では、前記特許文献１に記載の技術よりかは小型化でき、消費電力も削減できるものの、前記噴霧から水フィルタに付着するのは微小とは言え結局のところ水滴であるため、当該水滴を蒸発させ、かつ、冷却効果を向上させるためには、やはり水フィルタの気化面積を大きくし、冷風扇を大きくしなければならず、小型化も不十分であり、前記超音波噴霧装置の駆動電力とも併せて消費電力も増大するという問題があった。
【０００７】
そこで、本発明は、簡易な構造で効率的かつ省エネな冷風機を提供することを課題とした。
【課題を解決するための手段】
【０００８】
上記課題を解決するために、本発明は次のように構成した。すなわち、本発明に係る請求項１に記載の冷風機は、冷風機本体と、当該送風機本体内に配される水タンクと、当該水タンクの水面に、孔径が水分子の大きさに形成され、その下端部側が水タンク内の水面に浸漬された多孔質吸水基板と、当該多孔質吸水基板の上端部側の近傍に配置され、当該多孔質吸水基板に対して送風する送風手段とを備えてなることを特徴としている。
【０００９】
また、請求項２に記載の冷風機は、前記多孔質吸水基板が、多孔質構造の各孔径が水分子の大きさに形成された合成ゼオライトからなることを特徴としている。
【００１０】
また、請求項３に記載の冷風機は、前記多孔質吸水基板が、多孔質構造の各孔径が水分子の大きさに形成されたナノカーボンからなることを特徴としている。
【００１１】
さらに、請求項４に記載の冷風機は、前記多孔質吸水基板が吸水性に優れた布地からなることを特徴としている。
【発明の効果】
【００１２】
本発明に係る請求項１に記載の冷風機によれば、本願出願人により開発された孔径が水分子と同じ大きさに形成された多孔質吸水基板の下端部側から、水タンク内の水が瞬時に浸透し、前記送風手段の送風によって当該基板内に浸透し続ける水が順次気化して熱を吸収するため、当該送風による風が冷却されて冷風機外に排風することができる。したがって、送風手段の消費電力でのみ冷風を排出可能で省エネでき、また、前記多孔質吸水基板が水タンクの水を瞬時に浸透するため高効率で冷風を排出することができる。また、冷風機本体内の構造も簡易に構成でき、冷風機を小型化することができる。
【００１３】
また、請求項２乃至４に記載の冷風機によれば、前記多孔質吸水基板として、本願出願人が開発した多孔質構造の各孔径が水分子の大きさに形成された合成ゼオライトやナノカーボンを使用することで容易に冷風機の構成を図ることができ、より簡易な冷風機の構成を図るために、吸水性に優れた布地を代用することもできる。
【図面の簡単な説明】
【００１４】
【図１】本発明に係る冷風機の構造を示す概略図である。
【図２】本発明に係る冷風機の応用例を示す斜視図である。
【発明を実施するための形態】
【００１５】
以下、図面に基づいて本発明を具体的に説明する。図１は、本発明に係る冷風機１の構造を示す概略図である。
【００１６】
本実施例に係る冷風機１は、冷風機本体２と、当該冷風機本体２内に配される水タンク３と、当該水タンク３の水面に下端部側を浸漬させた多孔質吸水基板４と、当該多孔質吸水基板４に送風する送風手段５とから構成されている。なお、図中の実線矢印は風を、破線矢印は水蒸気を、白抜矢印は水を示す。
【００１７】
前記冷風機本体２は、熱伝導率が低く保冷効果のあるステンレス等の金属製、又は、ガラス製素材からなる筺体で、対抗する側面に取風孔２ａ及び排風孔２ｂが開口して形成されている。当該取風孔２ａ及び排風孔２ｂにはフィルタ等取付けることができる。当該冷風機本体２内に取付けた前記送風手段５により、前記取風孔２ａから筐体内に空気を取り込み、前記排風孔２ｂから冷風として放出する。なお、該冷風機本体２の素材は、保冷効果という観点から前記素材を用いるのが好ましいが、特段これに限定されるものではなく、その他木製又は合成樹脂製等であっても、前記多孔質吸水基板４による十分な冷風を放出することができる。
【００１８】
前記水タンク３は、前記冷風機本体２内の底部に固設され、その上面側が前記多孔質吸水基板４の下端部側を水タンク３内の水に浸漬できるように開口して形成されている。また、当該水は、水タンク３内に外部から給水可能に形成してもよく、或いは、前記冷風機本体２から取り外し可能とし、水タンク３の清掃又は給水可能に形成してもよい。
【００１９】
前記多孔質吸水基板４は、前記冷風機本体１１内で下方へと吊設されており、その下端部側が前記水タンク３に給水された水面に浸漬するように構成されている。当該多孔質吸水基板４は、基板を構成する多孔の孔径が水分子と同径に形成された特殊な成分配合により焼成された合成ゼオライトでできており、この多孔部分で水分子を瞬時に吸着することができ、この基板を水面に浸漬すれば、基板全域で水分を吸着することができる。同じ機能を発揮する吸水基材としては、ナノカーボン材を使用したり、水分子径に織り込まれた化学繊維製等の布地などを用いて構成することもできる。
【００２０】
前記送風手段５は、前記取風孔２ａと前記多孔質吸水基板４の間に配設され、ファン等で当該多孔質吸水基板４の上端部側へ送風可能に形成されている。この送風により、前記多孔質吸水基板４の上端部側から水蒸気が吹き出される。この際、気化熱が奪われて前記排風孔２ｂから冷風が放出される。
【００２１】
このように、当該冷風機１によれば、前記孔径が水分子の大きさで形成された多孔質吸水基板４の多孔部分に水分子を瞬時に吸着させ、当該多孔質吸水基板４の上端部側への送風により多孔質吸水基板４内で気化した水蒸気を放出させることにより、前記多孔質休止基板４内で気化熱が奪われて冷却された冷風を前記排風孔２ｂから排出することができる。従って、水分子を瞬時に吸着させる多孔質吸水基板４により、冷風機１を極めて簡易に構成でき、効率的且つ省エネで冷風を外部に吹き出すことができる。
【００２２】
また、前記の通り、当該多孔質吸水基板４は、水タンク３から水分子を吸着させるので、送風手段５の送風によって水滴が排風孔２ｂから外部に飛散することを防止することができ、冷風機１の設置箇所に水滴によるシミ等の汚れを防止することができる。また、水滴が飛散しないため、前記多孔質吸水基板４の取風孔２ａ側にファンを設置し、強力な送風で蒸発を促進することができる。
【００２３】
次に、本発明に係る冷風機１の応用実施例について説明する。当該冷風機１によれば、前記多孔質吸水基板４による水分子の吸着及び送風手段５による送風によって当該多孔質吸水基板４内で気化熱が奪われるのに伴い、多孔質吸水基板４での冷却効果が水タンク３内の水へも伝達され、該水タンク３内の貯留水も冷却される。従って、図示は省略するが、前記水タンク３の一部を冷風機本体２の外部に露出させ、前記多孔質吸水基板４の機能により冷却された水タンク３内の水を利用して、食品や飲料を冷やすこともできる。
【００２４】
また、当該冷風機１の排風孔２ｂとビーチマット又はビーチボール等の海水浴用品の空気取り込み口とをチューブ管等で連結し、当該ビーチマット又はビーチボール等の内部に冷風を注入し、或いは、前記水タンク３と当該空気取り込み口とをチューブ管等で連結し、前記水タンク３内で冷却された貯留水を当該ビーチマット又はビーチボール等に注入することにより、日差しの厳しいビーチ等で涼をとり、熱中症を予防することができる。
【００２５】
また、図２に示すように、就寝時の枕又は敷きマット６等の内部にチューブ管７を万遍なく配管し、該チューブ管７を介して前記冷風又は冷却された貯留水を当該枕又は敷マット６の内部で循環させることにより、涼しく快適に就寝することもできる。当該チューブ管７には循環装置（図示せず。）が取り付けられており、前記水タンク３内の冷却水が当該チューブ管７内に注入され、循環した後、水タンク３内に戻って冷却され、再度当該冷却水が当該チューブ管７内を循環するように構成される。なお、当該冷却水の循環システムは、ポンプ等の循環装置を用いて冷却水が前記チューブ管内を循環可能に構成されていればよく、特に限定されるものではない。
【産業上の利用可能性】
【００２６】
前記水タンク３内に超音波霧化装置を取り付ければ、該超音波による水タンク内の水分の霧化により、加湿機としても利用することができる。
【符号の説明】
【００２７】
１      冷風機
２      冷風機本体
２ａ    取風孔
２ｂ    排風孔
３      水タンク
４      多孔質吸水基板
５      冷風手段
６      敷マット
７      チューブ管
【図１】
2017009136.tif 000003
【図２】
2017009136.tif 000004